(57)【要約】【課題】実用的であり、かつ、高い自由度を有し、しかもインテリアとしての価値も高い照明装置を提供する。【解決手段】それぞれの内部に光源が配設された複数の筐体を有し、上記複数の筐体のそれぞれの外周面に、上記筐体同士を分離可能に連結する介在部材が配設されているようにしたものである。また、上記介在部材は電気的に導通するものであって上記筐体の内部に配設された上記光源と電気的に接続され、上記筐体同士が上記介在部材によって連結したとき、上記介在部材を介して、上記連結する筐体同士の一方の筐体の内部に配設された光源に供給された電流が、上記連結する筐体同士の他方の筐体の内部に配設された光源に供給されるようにした。【選択図】        図１
2006164827.tif 000002
【特許請求の範囲】
【請求項１】
それぞれの内部に光源が配設された複数の筐体
を有し、
前記複数の筐体のそれぞれの外周面に、前記筐体同士を分離可能に連結する介在部材が配設されている
ことを特徴とする照明装置。
【請求項２】
請求項１に記載の照明装置において、
前記介在部材は電気的に導通するものであって前記筐体の内部に配設された前記光源と電気的に接続され、前記筐体同士が前記介在部材によって連結したとき、前記介在部材を介して、前記連結する筐体同士の一方の筐体の内部に配設された光源に供給された電流が、前記連結する筐体同士の他方の筐体の内部に配設された光源に供給される
ことを特徴とする照明装置。
【請求項３】
請求項１または請求項２のいずれか１項に記載の照明装置において、
前記介在部材は永久磁石である
ことを特徴とする照明装置。
【請求項４】
請求項１、請求項２または請求項３のいずれか１項に記載の照明装置において、
前記複数の筐体はそれぞれ、前記光源から投光された光が外部へ出射可能な光透過性を有する材料により形成されている
ことを特徴とする照明装置。
【請求項５】
全体が略立方体形状であって中空の内部空間を備え、略正方形形状の６つの外周面のそれぞれの略中央部位に、Ｎ極またはＳ極のリング状の第１の磁石と、前記第１の磁石の内周側に前記第１の磁石と間隔を有した状態で位置し、前記第１の磁石とは反対の極を形成する第２の磁石とが配設され、前記第１の磁石をマイナス極またはプラス極とし、前記第２の磁石を前記第１の磁石とは反対の極にするようにして電気的に接続された発光ダイオードが前記内部空間に配設された筐体
よりなる照明装置。
【請求項６】
全体が略直方体形状であって、略矩形形状の６つの外周面のうちの５つの外周面のそれぞれの角部近傍の４箇所に磁石が配設され、該磁石と電気的に接続され外部から電流が供給される第１の発光ダイオードが中空の内部空間に配設された筐体と、
全体が略直方体形状であって、略矩形形状の６つの外周面のそれぞれの角部近傍の４箇所に磁石が配設され、該磁石と電気的に接続された第２の発光ダイオードが中空の内部空間に配設された少なくとも１以上の筐体
よりなる照明装置。
【発明の詳細な説明】
【技術分野】
【０００１】
本発明は、照明装置に関し、さらに詳細には、商業施設や一般住宅などの多種多様な場所において用いて好適な照明装置に関する。
【背景技術】
【０００２】
近年、商業施設における照明装置や家庭用の照明装置としては、省エネルギーや明るさの質などに配慮した多くの実用的な製品が販売されている。
【０００３】
ところで、照明装置は、例えば、商業施設たる店舗内やショールーム内、あるいは、一般住宅のリビングなど、人目につきやすい場所に使用されることが多いため、配置場所を選ばない高い自由度を有し、単に実用性だけに優れたものではなく、高いデザイン性で美感を想起させる外観を備え、インテリアとしての価値も高い照明装置が要望されていた。
【０００４】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【０００５】
本発明は、上記したような要望に鑑みてなされたものであり、その目的とするところは、実用的であり、かつ、高い自由度を有し、しかもインテリアとしての価値も高い照明装置を提供しようとするものである。
【課題を解決するための手段】
【０００６】
上記目的を達成するために、本発明のうち請求項１に記載の発明は、それぞれの内部に光源が配設された複数の筐体を有し、上記複数の筐体のそれぞれの外周面に、上記筐体同士を分離可能に連結する介在部材が配設されているようにしたものである。
【０００７】
従って、本発明のうち請求項１に記載の発明によれば、介在部材によって筐体同士を分離可能に連結して、筐体を任意に配置することができるので、非常に自由度が高く配置場所を選ばないものであり、高いデザイン性で美感を想起させる外観を備え、実用的であるとともにインテリアとしての価値も非常に高いものとすることできる。
【０００８】
また、本発明のうち請求項２に記載の発明は、請求項１に記載の発明において、上記介在部材は電気的に導通するものであって上記筐体の内部に配設された上記光源と電気的に接続され、上記筐体同士が上記介在部材によって連結したとき、上記介在部材を介して、上記連結する筐体同士の一方の筐体の内部に配設された光源に供給された電流が、上記連結する筐体同士の他方の筐体の内部に配設された光源に供給されるようにしたものである。
【０００９】
また、本発明のうち請求項３に記載の発明は、請求項１または請求項２のいずれか１項に記載の発明において、上記介在部材は永久磁石であるようにしたものである。
【００１０】
また、本発明のうち請求項４に記載の発明は、請求項１、請求項２または請求項３のいずれか１項に記載の発明において、上記複数の筐体はそれぞれ、上記光源から投光された光が外部へ出射可能な光透過性を有する材料により形成されているようにしたものである。
【００１１】
また、本発明のうち請求項５に記載の発明は、全体が略立方体形状であって中空の内部空間を備え、略正方形形状の６つの外周面のそれぞれの略中央部位に、Ｎ極またはＳ極のリング状の第１の磁石と、上記第１の磁石の内周側に上記第１の磁石と間隔を有した状態で位置し、上記第１の磁石とは反対の極を形成する第２の磁石とが配設され、上記第１の磁石をマイナス極またはプラス極とし、上記第２の磁石を上記第１の磁石とは反対の極にするようにして電気的に接続された発光ダイオードが上記内部空間に配設された筐体よりなるようにしたものである。
【００１２】
また、本発明のうち請求項６に記載の発明は、全体が略直方体形状であって、略矩形形状の６つの外周面のうちの５つの外周面のそれぞれの角部近傍の４箇所に磁石が配設され、該磁石と電気的に接続され外部から電流が供給される第１の発光ダイオードが中空の内部空間に配設された筐体と、全体が略直方体形状であって、略矩形形状の６つの外周面のそれぞれの角部近傍の４箇所に磁石が配設され、該磁石と電気的に接続された第２の発光ダイオードが中空の内部空間に配設された少なくとも１以上の筐体よりなるようにしたものである。
【発明の効果】
【００１３】
本発明による照明装置は、以上説明したように構成されているので、実用的であり、かつ、高い自由度を有し、しかもインテリアとして価値も高いという優れた効果を奏する。
【発明を実施するための最良の形態】
【００１４】
以下、添付の図面に基づいて、本発明による照明装置の実施の形態の一例を詳細に説明するものとする。
【００１５】
図１には、本発明による照明装置の第１の実施の形態を示す概略構成斜視説明図が示されている。 
この照明装置１０は、全体が略立方体形状に形成され、中空の内部１２ａに光源が配設された複数の筐体１２−１，１２−２，１２−３を有して構成されている。
【００１６】
なお、筐体１２−１と筐体１２−２と筐体１２−３とは、同様な構成を備えるものである。従って、以下の説明においては、筐体１２−１（図２参照）について詳細に説明することとし、当該筐体１２−１に関する説明を援用して、筐体１２−１の構成と同一または相当する筐体１２−２ならびに筐体１２−３の構成に関しては、図１乃至図８において用いた符号と同一の符号を用いて示すことにより、その詳細な構成ならびに作用の説明は省略する。
【００１７】
照明装置１０を構成する筐体１２−１は、全体が略立方体形状に形成されており、いずれも略正方形形状の外周面１２ｂ，１２ｃ，１２ｄ，１２ｅ，１２ｆ，１２ｇを有する６つの側面部と、当該６つの側面部によって形成される中空の内部空間たる内部１２ａを有するものである。
【００１８】
この筐体１２−１は、例えば、半透明の樹脂により形成することができ、この実施の形態においては、６つの側面部をそれぞれ乳半色を有する半透明のアクリル板によって形成している。こうした半透明の材料によって筐体１２−１を形成することにより、内部１２ａに配設された光源から投光される光を効果的に外部へ出射させることができ、照明装置として好適なものである。
【００１９】
なお、筐体１２−１全体の寸法は、例えば、Ｌ１＝１５０ｍｍ、Ｌ２＝１５０ｍｍ、Ｌ３＝１５０ｍｍとすることができる（図２参照）。
【００２０】
そして、筐体１２−１の略正方形形状の６つの外周面１２ｂ，１２ｃ，１２ｄ，１２ｅ，１２ｆ，１２ｇのそれぞれの略中央部位に位置するようにして、リング状の磁石１４Ｎ，１４Ｓと、磁石１４Ｎ，１４Ｓの内周側に磁石１４Ｎ，１４Ｓと所定の間隔を有した状態で位置する磁石１６Ｎ，１６Ｓとが配設されている。
【００２１】
この磁石１４Ｎ，１４Ｓ（図３（ａ）参照）と磁石１６Ｎ，１６Ｓ（図３（ｂ）参照）とはいずれも永久磁石であり、導電性を有するものである。
【００２２】
また、６つの外周面１２ｂ，１２ｃ，１２ｄ，１２ｅ，１２ｆ，１２ｇのうち、４つの外周面１２ｂ，１２ｃ，１２ｄ，１２ｅにはそれぞれ、Ｎ極を形成する磁石１４Ｎと、Ｓ極を形成する磁石１６Ｓとが配設されている（図３（ｃ）参照）。一方、残り２つの外周面１２ｆ，１２ｇにはそれぞれ、Ｓ極を形成する磁石１４Ｓと、Ｎ極を形成する磁石１６Ｎとが配設されている（図３（ｄ）参照）。
【００２３】
なお、磁石１６Ｎ，１６Ｓの直径は、磁石１４Ｎ，１４Ｓの内径より小さくなるようにして寸法設定されており、磁石１４Ｎ，１４Ｓの内周側に配設される磁石１６Ｎ，１６Ｓが、磁石１４Ｎ，１４Ｓと所定の間隔を有した状態で配設可能なように設定されている。
【００２４】
例えば、磁石１４Ｎ，１４Ｓとして、厚みＬ４＝１．９ｍｍで外径Ｌ５＝１２．２ｍｍ、内径Ｌ６＝８．４ｍｍのリング状の永久磁石を用い（図３（ａ）参照）、磁石１６Ｎ，１６Ｓとして、厚みＬ７＝１．９ｍｍで、直径Ｌ８＝６．２ｍｍの円柱状の永久磁石を用いると（図３（ｂ）参照）、磁石１４Ｎ，１４Ｓと磁石１６Ｎ，１６Ｓとの間に１．１ｍｍの間隔（図３（ｃ）（ｄ）に示すＬ９参照）を確保することができる。
【００２５】
そして、６つの外周面１２ｂ，１２ｃ，１２ｄ，１２ｅ，１２ｆ，１２ｇのそれぞれの略中央部位には、外周面１２ｂ，１２ｃ，１２ｄ，１２ｅ，１２ｆ，１２ｇの表面から所定の深さを有するリング状の溝部２０と円柱状の溝部２２とが形成されている（図４（ａ）参照）。
【００２６】
なお、この溝部２０，２２の深さや直径などの各種寸法は、当該溝部２０，２２に磁石１４Ｎ，１４Ｓ，１６Ｎ，１６Ｓが嵌合可能であって、溝部２０，２２内に位置する磁石１４Ｎ，１４Ｓ，１６Ｎ，１６Ｓの表面１４ａ，１６ａの高さが外周面１２ｂ，１２ｃ，１２ｄ，１２ｅ，１２ｆ，１２ｇの表面の高さと略一致するようにして寸法設定されているものである。例えば、磁石１４Ｎ，１４Ｓとして厚み１．９ｍｍの永久磁石を用いる場合には、溝部２０の深さは１．９ｍｍであり、磁石１６Ｎ，１６Ｓとして厚み１．９ｍｍの永久磁石を用いる場合には、溝部２２の深さは１．９ｍｍに設定される。
【００２７】
従って、外周面１２ｂ，１２ｃ，１２ｄ，１２ｅ，１２ｆ，１２ｇの略中央部位に位置する磁石１４Ｎ，１４Ｓと磁石１６Ｎ，１６Ｓとはいずれも、その表面１４ａ，１６ａが、外周面１２ｂ，１２ｃ，１２ｄ，１２ｅ，１２ｆ，１２ｇの表面と一致し、外周面１２ｂ，１２ｃ，１２ｄ，１２ｅ，１２ｆ，１２ｇの表面から突出するようなことはない（図４（ｂ）に示す状態参照）。
【００２８】
さらに、溝部２０，２２の底面部には、側面部を貫通して、外周面１２ｂ，１２ｃ，１２ｄ，１２ｅ，１２ｆ，１２ｇの背面側の面において開口する孔２０ａ，２２ａが穿設されている。この孔２０ａ，２２ａにはそれぞれ、後述する光源たる発光ダイオード３０の配線が配設される（図４（ｂ）参照）。
【００２９】
こうして磁石１４Ｎ，１４Ｓ，１６Ｎ，１６Ｓがそれぞれ配設された６つの側面部よりなる中空の内部１２ａには、光源として発光ダイオード（ＬＥＤ）３０が配設されている。
【００３０】
この発光ダイオード３０としては、所定の色を発光する各種発光ダイオードを用いることができ、例えば、青色、赤色、緑色、橙色、黄色あるいは白色などに発光する発光ダイオードを任意に選択して配設することができる。こうして光源として発光ダイオード３０を用いることにより、消費電流を低く抑えることができ、省エネルギーであって実用性を高めることができる。
【００３１】
また、発光ダイオード３０には拡散シート３２（図４（ｂ）参照）が被覆されている。この拡散シート３２は、発光ダイオード３０から投光された光を拡散し、光源からの光量を均一化して、むらのない状態を生起することができるものである。
【００３２】
そして、６つの発光ダイオード３０がそれぞれ、６つの側面部のそれぞれの外周面１２ｂ，１２ｃ，１２ｄ，１２ｅ，１２ｆ，１２ｇの背面側の面に、内部１２ａに位置するようにして固定的に配設されている（図５参照）。
【００３３】
この発光ダイオード３０の配線は、側面部に穿設された孔２０ａ，２２ａを介して、溝部２０，２２に配設された磁石１４Ｎ，１４Ｓ，１６Ｎ，１６Ｓに半田付けされている（図４（ｂ）参照）。そして、図６に示すようにして６つの発光ダイオード３０がそれぞれ配線途中に減流抵抗３４が配設されて接続され、発光ダイオード３０と磁石１４Ｎ，１４Ｓ，１６Ｎ，１６Ｓとが電気的に接続されて、磁石１４Ｎ，１４Ｓがマイナス極になり、磁石１６Ｎ，１６Ｓがプラス極になるように設計されている（図３（ｃ）（ｄ）参照）。
【００３４】
なお、この実施の形態においては、図６に示すような電源ユニット３６により、照明装置１０の外部から照明装置１０に電流が供給されるようになされている。この電源ユニット３６は、コンセントに差し込まれるプラグを備えたＡＣアダプタ（図示せず。）と、磁石１４Ｓと同様な構成を備えＳ極を形成する電源側磁石３７Ｓと、磁石１６Ｎと同様な構成を備えＮ極を形成する電源側磁石３８Ｎとを備えて形成されている。なお、電源ユニット３６内においては、電源側磁石３７Ｓがマイナス極になり、電源側磁石３８Ｎがプラス極になるようにして配線が設計されている。
【００３５】
以上の構成において、本発明による照明装置１０を点灯させるには、まず、使用者は、プラグがコンセントに差し込まれた電源ユニット３６の電源側磁石３７Ｓを、照明装置１０の筐体１２−１の外周面１２ｃに配設された磁石１４Ｎとを連結させ、電源ユニット３６の電源側磁石３８Ｎを、照明装置１０の筐体１２−１の外周面１２ｃに配設された磁石１６Ｓとを連結させる（図６ならびに図７（ａ）参照）。
【００３６】
この際、照明装置１０の筐体１２−１の外周面１２ｃに配設された磁石１４ＮがＮ極であって、電源側磁石３７ＳがＳ極なので、ともにリング状の磁石１４Ｎと電源側磁石３７Ｓとは磁力によって互いに引きつけ合い容易に連結する。同様に、照明装置１０の筐体１２−１の外周面１２ｃに配設された磁石１６ＳがＳ極であって、電源側磁石３８ＮがＮ極なので、ともに円柱状の磁石１６Ｓと電源側磁石３８Ｎとは磁力によって互いに引きつけ合い容易に連結する。
【００３７】
こうして連結した磁石１４Ｎと電源側磁石３７Ｓとはともにマイナス極であり、磁石１６Ｓと電源側磁石３８Ｎとはともにプラス極であって、連結するＮ極ならびにＳ極の磁石を介して、電流（例えば、１５Ｖ）が電源ユニット３６から筐体１２−１に供給される。
【００３８】
すると、外周面１２ｃの磁石１４Ｎならびに磁石１６Ｓと電気的に接続された筐体１２−１内の発光ダイオード３０に通電され、発光ダイオード３０が所定の色で発光し、拡散シート３２によって拡散された光が、半透明の外周面１２ｂ，１２ｃ，１２ｄ，１２ｅ，１２ｆ，１２ｇから外部へ出射され、むらのない状態で筐体１２−１が点灯する（図７（ａ）に示す状態参照）。
【００３９】
さらに、点灯している筐体１２−１の外周面１２ｅに配設された磁石１４Ｎに、筐体１２−２の外周面１２ｆに配設された磁石１４Ｓを連結させるとともに、点灯している筐体１２−１の外周面１２ｅに配設された磁石１６Ｓに、筐体１２−２の外周面１２ｆに配設された磁石１６Ｎを連結させる（図６、図７（ａ）に示す破線矢印ならびに図７（ｂ）参照）。
【００４０】
この際、照明装置１０の筐体１２−２の外周面１２ｆに配設された磁石１４ＳがＳ極であって、点灯している筐体１２−１の磁石１４ＮがＮ極なので、ともにリング状の磁石１４Ｓと磁石１４Ｎとは磁力によって互いに引きつけ合い容易に連結する。同様に、照明装置１０の筐体１２−２の外周面１２ｆに配設された磁石１６ＮがＮ極であって、点灯している筐体１２−１の磁石１６ＳがＳ極なので、ともに円柱状の磁石１６Ｎと磁石１６Ｓとは磁力によって互いに引きつけ合い容易に連結する。
【００４１】
こうして磁石１４Ｓと磁石１４Ｎならびに磁石１６Ｎと磁石１６Ｓによって、筐体１２−１，１２−２同士が連結したとき、連結した磁石１４Ｓと磁石１４Ｎとはともにマイナス極であり、磁石１６Ｎと磁石１６Ｓとはともにプラス極であって、連結するＮ極ならびにＳ極の磁石を介して、電源ユニット３６から筐体１２−１の発光ダイオード３０に供給された電流が筐体１２−２に供給される。
【００４２】
すると、外周面１２ｆの磁石１４Ｓならびに磁石１６Ｎと電気的に接続された筐体１２−２内の発光ダイオード３０に通電され、発光ダイオード３０が所定の色で発光し、拡散シート３２によって拡散された光が、半透明の外周面１２ｂ，１２ｃ，１２ｄ，１２ｅ，１２ｆ，１２ｇから外部へ出射され、むらのない状態で筐体１２−２が筐体１２−２とともに点灯する（図７（ｂ）に示す状態参照）。
【００４３】
さらにまた、点灯している筐体１２−２の外周面１２ｂに配設された磁石１４Ｎに、筐体１２−３の外周面１２ｇに配設された磁石１４Ｓを連結させるとともに、点灯している筐体１２−２の外周面１２ｂに配設された磁石１６Ｓに、筐体１２−３の外周面１２ｇに配設された磁石１６Ｎを連結させる（図７（ｂ）に示す破線矢印ならびに図７（ｃ）参照）。
【００４４】
この際、照明装置１０の筐体１２−３の外周面１２ｇに配設された磁石１４ＳがＳ極であって、点灯している筐体１２−２の磁石１４ＮがＮ極なので、ともにリング状の磁石１４Ｓと磁石１４Ｎとは磁力によって互いに引きつけ合い容易に連結する。同様に、照明装置１０の筐体１２−３の外周面１２ｇに配設された磁石１６ＮがＮ極であって、点灯している筐体１２−２の磁石１６ＳがＳ極なので、ともに円柱状の磁石１６Ｎと磁石１６Ｓとは磁力によって互いに引きつけ合い容易に連結する。
【００４５】
こうして磁石１４Ｓと磁石１４Ｎならびに磁石１６Ｎと磁石１６Ｓによって、筐体１２−２，１２−３同士が連結したとき、連結した磁石１４Ｎと磁石１４Ｓとはともにマイナス極であり、磁石１６Ｓと磁石１６Ｎとはともにプラス極であって、連結するＮ極ならびにＳ極の磁石を介して、筐体１２−１から筐体１２−２の発光ダイオード３０に供給された電流が筐体１２−３に供給される。
【００４６】
すると、外周面１２ｇの磁石１４Ｓならびに磁石１６Ｎと電気的に接続された筐体１２−３内の発光ダイオード３０に通電され、発光ダイオード３０が所定の色で発光し、拡散シート３２によって拡散された光が、半透明の外周面１２ｂ，１２ｃ，１２ｄ，１２ｅ，１２ｆ，１２ｇから外部へ出射され、むらのない状態で筐体１２−３が筐体１２−１ならびに筐体１２−２とともに点灯する（図７（ｃ）に示す状態参照）。
【００４７】
このように、筐体１２−１，１２−２，１２−３のそれぞれの外周面１２ｂ，１２ｃ，１２ｄ，１２ｅ，１２ｆ，１２ｇに配設された磁石１４Ｎ，１４Ｓ，１６Ｎ，１６Ｓが磁力によって接合することによって、筐体１２−１，１２−２，１２−３が物理的に連結して一体化し、なおかつ、磁石１４Ｎ，１４Ｓ，１６Ｎ，１６Ｓを介して電気的な接続を確立して点灯する。
【００４８】
従って、筐体１２−１の外周面１２ｃに取り付けられている電源ユニット３６を、外周面１２ｃから取り外して、磁石１４Ｎと電源側磁石３７Ｓならびに磁石１６Ｓと電源側磁石３８Ｎの接合を解除すれば、筐体１２−１、筐体１２−２ならびに筐体１２−３はいずれも消灯する。
【００４９】
上記したようにして、本発明による照明装置１０においては、内部１２ａに発光ダイオード３０が配設された３つの筐体１２−１，１２−２，１２−３を有し、その筐体１２−１，１２−２，１２−３それぞれの外周面１２ｂ，１２ｃ，１２ｄ，１２ｅ，１２ｆ，１２ｇに磁石１４Ｎ，１４Ｓ，１６Ｎ，１６Ｓを配設するようにしたため、磁石１４Ｎ，１４Ｓ，１６Ｎ，１６Ｓによって筐体１２−１，１２−２，１２−３同士を分離可能に連結して、筐体１２−１，１２−２，１２−３を任意に配置することができるので、非常に自由度が高く配置場所を選ばないものであり、高いデザイン性で美感を想起させる外観を備えており、実用的であるとともにインテリアとしての価値も非常に高いものである。
【００５０】
即ち、上記したように外周面１２ｅと外周面１２ｆとが面接触した状態で筐体１２−１と筐体１２−２とが隣接し、外周面１２ｂと外周面１２ｇとが面接触した状態で筐体１２ー２の上方に筐体１２−３を積載するようにして（図１ならびに図７（ｃ）参照）、３つの筐体１２−１，１２−２，１２−３を配置することに限定されるものではないことは勿論である。
【００５１】
例えば、図８（ａ）に示すように、外周面１２ｆと外周面１２ｂとが面接触した状態で筐体１２ー１の上方に筐体１２−２を積載し、さらに、外周面１２ｄと外周面１２ｇとが面接触した状態で筐体１２ー２の上方に筐体１２−３を積載するようにしてもよい。あるいは、図８（ｂ）に示すようにして、積載された３つの筐体１２−１，１２−２，１２−３のうち、上下の筐体１２−１，１２−３に挟まれた筐体１２−２を、筐体１２−１の外周面１２ｆと筐体１２−２の外周面１２ｂとが全面で面接触することがないようにして回転させて配置することものできる。
【００５２】
つまり、本発明による照明装置１０においては、磁石１４Ｎ，１４Ｓ，１６Ｎ，１６Ｓを、筐体１２−１，１２−２，１２−３の外周面１２ｂ，１２ｃ，１２ｄ，１２ｅ，１２ｆ，１２ｇの略中央部位に配設するようにしたため、磁石１４Ｎ，１４Ｓ，１６Ｎ，１６Ｓによる筐体１２−１，１２−２，１２−３同士の連結を維持した状態で、他の筐体との連結を確保している磁石１４Ｎ，１４Ｓ，１６Ｎ，１６Ｓが配設された外周面１２ｂ，１２ｃ，１２ｄ，１２ｅ，１２ｆ，１２ｇに垂直な線を回転軸として筐体１２−１，１２−２，１２−３を回転させることができ、より一層自由度が向上しているものである。
【００５３】
また、照明装置１０を使用する際に使用者は、図７（ａ）（ｂ）（ｃ）に順次示したようにして、３つの筐体１２−１，１２−２，１２−３をそれぞれ順次点灯させながら、全体の配置形状や点灯状況を確認することができる。
【００５４】
また、本発明による照明装置１０においては、上記したようにして筐体１２−１，１２−２，１２−３同士を連結して任意の形状に構成し電気的接続を確保するのに、磁石１４Ｎ，１４Ｓ，１６Ｎ，１６Ｓの結合と反発とを利用しているので、何等工具を使用する必要がなく、また、ネジなどの部品も使用しないものである。このように本発明による照明装置１０は非常に簡単な構成なので、製造コストを低減して安価に製造することができ、誰でも容易に使用できるものである。
【００５５】
また、本発明による照明装置１０においては、筐体１２−１，１２−２，１２−３は同様な構成を備えるものであって、これら筐体１２−１，１２−２，１２−３の６つの側面部をそれぞれ乳半色を有する半透明のアクリル板によって形成すれば、同様な構成を備えるアクリル板１８枚によって組み立てることができ、製造や組み立てが非常に容易なものである。
【００５６】
また、本発明による照明装置１０においては、磁石１４Ｎ，１４Ｓと磁石１６Ｎ，１６Ｓとはいずれも、その表面１４ａ，１６ａが外周面１２ｂ，１２ｃ，１２ｄ，１２ｅ，１２ｆ，１２ｇの表面から突出しないようにして配設したので（図４（ｂ）参照）、筐体１２−１，１２−２，１２−３同士を連結するときに、連結する筐体１２−１，１２−２，１２−３の外周面１２ｂ，１２ｃ，１２ｄ，１２ｅ，１２ｆ，１２ｇ同士がぴったりとくっついて隙間が空かず、複数の筐体１２−１，１２−２，１２−３を任意の形状に正確に配置させることができ、形ズレを防ぐことができる。
【００５７】
また、本発明による照明装置１０においては、Ｓ極を形成する磁石１６Ｓの外周側にはＮ極を形成する磁石１４Ｎが配設され、Ｎ極を形成する磁石１６Ｎの外周側にはＳ極を形成する磁石１４Ｓが配設されるようにしたので、単一の外周面１２ｂ，１２ｃ，１２ｄ，１２ｅ，１２ｆ，１２ｇ内において、必ずＮ極の磁石１４Ｎ，１６ＮとＳ極の磁石１４Ｓ，１６Ｓとが配設され、また、外周側に位置する磁石１４Ｎ，１４Ｓがマイナス極で、内側の磁石１６Ｎ，１６Ｓがプラス極になるように統一されている。このため、マイナス極とプラス極との採り違いが防止でき、電源のショートや、マイナス極とプラス極との採り違いによる発光ダイオード３０の不点灯などの不都合をなくすことができる。
【００５８】
次に、図９乃至図１０を参照しながら、本発明による照明装置の第２の実施の形態について説明する。
【００５９】
なお、図９乃至図１０においては、図１乃至図８に示す構成と同一または相当する構成に関しては、図１乃至図８において用いた符号と同一の符号を用いて示すことにより、その詳細な構成ならびに作用の説明は省略する。
【００６０】
この第２の実施の形態の照明装置４０は、上記した第１の実施の形態の照明装置１０と比較して、第１の実施の形態の照明装置１０の筐体１２−１，１２−２，１２−３にはそれぞれ、磁石１４Ｎ，１４Ｓ，１６Ｎ，１６Ｓが配設されているのに対して、第２の実施の形態の照明装置４０の筐体４２−１，４２−２，４２−３にはそれぞれ、磁石４８Ｎ，４８Ｓが配設されている点が異なっている。
【００６１】
つまり、照明装置４０は、筐体４２−１，４２−２，４２−３のそれぞれにおいて、略正方形形状の６つの外周面４２ｂ，４２ｃ，４２ｄ，４２ｅ，４２ｆ，４２ｇのそれぞれの４つの角部近傍に位置するようにして、円柱状の磁石４８Ｎ，４８Ｓが４つずつ配設されている。この磁石４８Ｎ，４８Ｓはいずれも永久磁石であり、導電性を有するものである。また、磁石４８Ｎと磁石４８Ｓとは全体の各種寸法も同一なものである。
【００６２】
そして、６つの外周面４２ｂ，４２ｃ，４２ｄ，４２ｅ，４２ｆ，４２ｇのそれぞれにおいては、外周面４２ｂ，４２ｃ，４２ｄ，４２ｅ，４２ｆ，４２ｇの略正方形形状の対向する辺に位置する磁石の極が同じになるようにして、単一の外周面４２ｂ，４２ｃ，４２ｄ，４２ｅ，４２ｆ，４２ｇにＮ極を形成する２つの磁石４８ＮとＳ極を形成する２つの磁石４８Ｓが配設されている（図１０（ａ）参照）。
【００６３】
一方、６つの外周面４２ｂ，４２ｃ，４２ｄ，４２ｅ，４２ｆ，４２ｇのそれぞれの角部近傍には、外周面４２ｂ，４２ｃ，４２ｄ，４２ｅ，４２ｆ，４２ｇの表面から所定の深さを有する円筒状の溝部４４が形成されている（図１０ｂ（）参照）。
【００６４】
なお、この溝部４４の深さや直径などの各種寸法は、当該溝部４４に磁石４８Ｎ，４８Ｓが嵌合可能であって、溝部４４内に位置する磁石４８Ｎ，４８Ｓの表面４８ａの高さが外周面４２ｂ，４２ｃ，４２ｄ，４２ｅ，４２ｆ，４２ｇの表面の高さと略一致するようにして寸法設定されているものである。従って、外周面４２ｂ，４２ｃ，４２ｄ，４２ｅ，４２ｆ，４２ｇの角部近傍に位置する４つの磁石４８Ｎ，４８Ｓはいずれも、その表面４８ａが、外周面４２ｂ，４２ｃ，４２ｄ，４２ｅ，４２ｆ，４２ｇの表面と一致し、外周面４２ｂ，４２ｃ，４２ｄ，４２ｅ，４２ｆ，４２ｇの表面から突出するようなことはない（図１０（ｂ）に示す状態参照）。
【００６５】
さらに、溝部４４の底面部には、側面部を貫通して、外周面４２ｂ，４２ｃ，４２ｄ，４２ｅ，４２ｆ，４２ｇの背面側の面において開口する孔４４ａが穿設されている。この孔４４ａにはそれぞれ、光源たる発光ダイオード３０の配線が配設される。
【００６６】
こうして磁石４８Ｎ，４８Ｓがそれぞれ配設された６つの側面部よりなる中空の内部４２ａには、６つの発光ダイオード３０がそれぞれ、６つの側面部のそれぞれの外周面４２ｂ，４２ｃ，４２ｄ，４２ｅ，４２ｆ，４２ｇの背面側の面に固定的に配設されている（図５参照）。
【００６７】
なお、この第２の実施の形態の照明装置４０においては、１つの発光ダイオード３０の配線が、孔４４ａを介して、同じ外周面４２ｂ，４２ｃ，４２ｄ，４２ｅ，４２ｆ，４２ｇ内に配設された４つの磁石４８Ｎ，４８Ｓにそれぞれに半田付けされいる。こうして、発光ダイオード３０と磁石４８Ｎ，４８Ｓとが電気的に接続されて、外周面４２ｂ，４２ｃ，４２ｄ，４２ｅ，４２ｆ，４２ｇの略正方形形状の対角線上に位置する磁石の極が同じになるようにして、磁石４８Ｎと磁石４８Ｓとがそれぞれマイナス極（図１０（ａ）（ｂ）における符号４８Ｎ（−）ならびに４８Ｓ（−）参照）あるいはプラス極（図１０（ａ）（ｂ）における符号４８Ｎ（＋）ならびに４８Ｓ（＋）参照）になるように設計されている。
【００６８】
なお、この実施の形態においては、図６に示す電源ユニット３６と類似した電源ユニットにより、照明装置４０の外部から照明装置４０に電流が供給されるようになされている。この照明装置４０用の電源ユニット（図示せず。）は、磁石４８Ｓと同様な構成を備えＳ極を形成するマイナス極の電源側磁石と、磁石４８Ｎと同様な構成を備えＮ極を形成するプラス極の電源側磁石とを備えているものである。
【００６９】
以上の構成において、本発明による照明装置４０を点灯させるには、まず、使用者は、筐体４２−１の外周面４２ｅに配設された２つのＮ極の磁石４８Ｎ（−），４８Ｎ（＋）と、筐体４２−２の外周面４２ｆに配設された２つのＳ極の磁石４８Ｓ（−），４８Ｓ（＋）とを磁力によって連結させるとともに、筐体４２−１の外周面４２ｅに配設された２つのＳ極の磁石４８Ｓ（−），４８Ｓ（＋）と、筐体４２−２の外周面４２ｆに配設された磁石４８Ｎ（−），４８Ｎ（＋）とを磁力によってを連結させる。
【００７０】
さらに、筐体４２−２の外周面４２ｄに配設された２つのＮ極の磁石４８Ｎ（−），４８Ｎ（＋）と、筐体４２−３の外周面４２ｇに配設された２つのＳ極の磁石４８Ｓ（−），４８Ｓ（＋）とを磁力によって連結させるとともに、筐体４２−２の外周面４２ｄに配設された２つのＳ極の磁石４８Ｓ（−），４８Ｓ（＋）と、筐体４２−３の外周面４２ｇに配設された２つのＮ極の磁石４８Ｎ（−），４８Ｎ（＋）とを磁力によって連結させる。
【００７１】
こうして外周面４２ｅと外周面４２ｆとが面接触した状態で筐体４２−１と筐体４２−２とが隣接し、外周面４２ｄと外周面４２ｇとが面接触した状態で筐体４２ー２の上方に筐体４２−３が積載されたならば、電源ユニット（図示せず。）を筐体４２−１に取り付ける。
【００７２】
すると、連結するＮ極ならびにＳ極の磁石４８Ｎ，４８Ｓを介して、電流が電源ユニットから筐体４２−１に供給され、筐体４２−１内の発光ダイオード３０に通電された電流はさらに筐体４２−２に供給され、筐体４２−２内の発光ダイオード３０に通電された電流はさらに筐体４２−３に供給される。
【００７３】
その結果、筐体４２−１、筐体４２−２ならびに筐体４２−３のそれぞれにおいて、発光ダイオード３０が所定の色で発光し、拡散シート３２によって拡散された光が、半透明の外周面４２ｂ，４２ｃ，４２ｄ，４２ｅ，４２ｆ，４２ｇから外部へ出射され、むらのない状態で筐体４２−１，４２−２，４２−３が点灯する。
【００７４】
上記したようにして、本発明による第２の実施の形態の照明装置４０は、内部４２ａに発光ダイオード３０が配設された３つの筐体４２−１，４２−２，４２−３を有し、その筐体４２−１，４２−２，４２−３それぞれの外周面４２ｂ，４２ｃ，４２ｄ，４２ｅ，４２ｆ，４２ｇに磁石４８Ｎ，４８Ｓを配設するようにしたため、磁石４８Ｎ，４８Ｓによって筐体４２−１，４２−２，４２−３同士を分離可能に連結して、筐体４２−１，４２−２，４２−３を任意に配置することができるので、非常に自由度が高く配置場所を選ばないものであり、高いデザイン性で美感を想起させる外観を備えており、実用的であるとともにインテリアとしての価値も非常に高いものである。
【００７５】
また、本発明による第２の実施の形態の照明装置４０においても、上記した第１の実施の形態の照明装置１０の奏する各種効果を有するものである。
【００７６】
なお、上記した実施の形態は、以下の（１）〜（８）に示すように変形することができるものである。
【００７７】
（１）上記した実施の形態の照明装置１０，４０においては、磁石１４Ｎ，１４Ｓ，１６Ｎ，１６Ｓ，４８Ｎ，４８Ｓにより、筐体１２−１，１２−２，１２−３，４２−１，４２−２，４２−３同士を分離可能に連結するようにしたが、これに限られるものではないことは勿論であり、ボタンやフックなどの形状を有し互いに係合可能な構成を、筐体同士を分離可能に連結する介在部材として配設し、磁石１４Ｎ，１４Ｓ，１６Ｎ，１６Ｓ，４８Ｎ，４８Ｓによる磁力で連結するのではなく、物理的な係合によって筐体同士の連結を実現するようにしてもよい。
【００７８】
また、磁石１４Ｎ，１４Ｓ，１６Ｎ，１６Ｓ，４８Ｎ，４８Ｓなどの介在部材を、筐体の同一の外周面内に配設する総数やその配設位置なども適宜変更可能なものである。さらに、介在部材を筐体の側面部の外周面側に配設するのに限定されず、介在部材となる構成によって筐体の側面部の一部を形成するようにしてもよい。
【００７９】
また、上記した実施の形態の照明装置１０においては、磁石１４Ｎ，１４Ｓがマイナス極になり、磁石１６Ｎ，１６Ｓがプラス極になるように設計したが、これに限られるものではないことは勿論であり、磁石１４Ｎ，１４Ｓがプラス極になり、磁石１６Ｎ，１６Ｓがマイナス極になるようにしてもよく、光源との接続によって適宜マイナス極とプラス極とを設計すればよい。
【００８０】
（２）上記した実施の形態の照明装置１０，４０においては、筐体１２−１，１２−２，１２−３，４２−１，４２−２，４２−３を半透明の樹脂により形成するようにしたが、これに限られるものではないことは勿論であり、透明材料などの各種材料により筐体を形成でき、全体のサイズも適宜変更可能なものである。
【００８１】
また、光の分散や拡散の機能を有する材料によって筐体全体を構成したり、あるいは当該材料を筐体に塗布するようにして、拡散シート３２（図４（ｂ）参照）と同様の効果を得るようにしてもよい。
【００８２】
また、光透過性を有していない材料によって筐体を形成する場合には、スリットなどを筐体の側面部に形成して、筐体内の光源から投光された光が外部へ出射可能なように構成すればよい。
【００８３】
また、所定の文字や模様などが印刷されるなどしたプレートを、筐体に配設するようにして、筐体内部から投光される光によって、文字や模様が浮かび上がるようにしてもよく、照明設備として要求される各種構成を付加するようにしてもよい。
【００８４】
（３）上記した実施の形態の照明装置１０，４０においては、光源として発光ダイオード（ＬＥＤ）３０を配設するようにしたが、これに限られるものではないことは勿論であり、電球や蛍光灯など各種光源を配設するようにしてもよく、また、単一の筐体内に配設する光源の総数も適宜変更可能なものである。
【００８５】
また、光源の種類などに応じて、明るさの調整機構や点灯・消灯の切り換えスイッチなどを適宜配設してもよい。あるいは、電源の変更も可能であり、乾電池を用いるようにしたり、充電機を備えるようにしてもよい。
【００８６】
（４）上記した実施の形態の照明装置１０，４０においては、いずれも３つの筐体１２−１，１２−２，１２−３ならびに筐体４２−１，４２−２，４２−３によって構成されるようにしたが、これに限られるものではないことは勿論であり、照明装置１０，４０を構成する筐体の数は、２以上の任意の数で選択可能なものである。
【００８７】
従って、本発明による照明装置は、構成する筐体の数を増加させ、キューブ状の筐体１２−１，１２−２，１２−３，４２−１，４２−２，４２−３を元にあらゆる形状を構築できるものであり、簡単な筐体同士の接合により高い自由度を実現するものである。
【００８８】
ただし、本願発明は、筐体の形状や大きさなどによっては、照明装置を１つの筐体のみで構成することを妨げるものではない。
【００８９】
（５）上記した実施の形態の照明装置１０，４０においては、３つの筐体１２−１，１２−２，１２−３ならびに筐体４２−１，４２−２，４２−３はそれぞれ、同様の構成を備えるものであるようにしたが、これに限られるものではないことは勿論であり、複数の筐体の中に異なる構成の筐体が含まれるようにしてもよい。
【００９０】
例えば、所定の配設場所上に配置される筐体であって、照明装置１０の筐体１２−１のように他の筐体の上に積載されることがないような筐体は、図１１に示すように、筐体５０の内部５０ａに発光ダイオード５２が配設されたタワー５４を配設するようにしてもよい。このようにすると、上記した実施の形態の照明装置１０，４０のように、６つの外周面１２ｂ，１２ｃ，１２ｄ，１２ｅ，１２ｆ，１２ｇの全てから均一に光を出射させることは困難になるが、図１１にも示すように多数の発光ダイオード５２を配設するときなどには非常に好適なものである。
【００９１】
この際、タワー５４の基部に位置する側面部の外周面５０ｇには、磁石などの介在部材を配設する必要がなく、その他の５つの外周面５０ｂ，５０ｃ，５０ｄ，５０ｅ，５０ｆに介在部材を配設すればよい。そして、当該５つの外周面５０ｂ，５０ｃ，５０ｄ，５０ｅ，５０ｆに上記したように６つの外周面全てに介在部材が配設された筐体を連結すればよい。
【００９２】
つまり、本発明による照明装置を構成する複数の筐体がいずれも同様の構成である必要はなく、互いに異なる構成を有する複数の筐体によって構成するようにしてもよく、また、筐体を構成する全ての外周面に磁石などの介在部材が配設されている必要はなく、筐体を構成するいくつかの外周面にのみ介在部材が配設されるようにしてもよい。
【００９３】
（６）上記した実施の形態の照明装置１０，４０においては、筐体１２−１，１２−２，１２−３，４２−１，４２−２，４２−３はいずれも、全体が略立方体形状であるようにしたが、これに限られるものではないことは勿論であり、直方体形状であってもよいし、また、図１２に示すような多角形形状の筐体６０で介在部材６２を備えるようにしてもよく、要は、筐体同士を分離可能に連結する磁石などの介在部材を配設可能で筐体同士が連結可能な面を備えた形状とすることができる。
【００９４】
（７）上記した実施の形態の照明装置１０，４０においては、筐体１２−１，１２−２，１２−３，４２−１，４２−２，４２−３同士が、その外周面１２ｂ，１２ｃ，１２ｄ，１２ｅ，１２ｆ，１２ｇ，４２ｂ，４２ｃ，４２ｄ，４２ｅ，４２ｆ，４２ｇに配設された磁石１４Ｎ，１４Ｓ，１６Ｎ，１６Ｓ，４８Ｎ，４８Ｓによって、直接、連結接合するものであるが、これに限られるものではないことは勿論である。例えば、磁石による連結を電気的接続とを確保する枠組みのようなホルダーを用いて、当該ホルダーの任意の位置に任意の数だけ筐体をパズルのように組み込むような構成としてもよい。
【００９５】
（８）上記した実施の形態ならびに上記した（１）〜（７）に示す変形例は、適宜に組み合わせるようにしてもよい。
【産業上の利用可能性】
【００９６】
本発明は、ショールームなどの商業施設における照明設備や、業務用あるいは家庭用のインテリアとして利用することができる。
【図面の簡単な説明】
【００９７】
【図１】図１は、本発明による照明装置の第１の実施の形態を示す概略構成斜視説明図である。
【図２】図２は、図１に示す照明装置の筐体を示す概略構成斜視説明図である。
【図３】図３（ａ）ならびに図３（ｂ）は、図１に示す照明装置の筐体に配設される磁石を示す概略構成斜視説明図であり、図３（ｃ）ならびに図３（ｄ）は、図３（ａ）（ｂ）に示す磁石と発光ダイオードとの接続を示す説明図である。
【図４】図４（ａ）ならびに図４（ｂ）は、図２に示すＩＶ−ＩＶ線断面図に対応する説明図である。
【図５】図５は、図２に示す筐体の一部を破断して示した概略構成一部断面図である
【図６】図６は、図１に示すＶＩ−ＶＩ線断面図に対応させて照明装置の電気的接続を中心に示した説明図である。
【図７】図７（ａ）（ｂ）（ｃ）は、図１に示す照明装置の点灯状態を模式的に示した説明図である。
【図８】図８（ａ）（ｂ）は、図１に示す照明装置の他の例を示す概略構成斜視説明図である。
【図９】図９は、本発明による照明装置の第２の実施の形態を示す概略構成斜視説明図である。
【図１０】図１０（ａ）は、図９に示す照明装置の筐体を示す概略構成斜視説明図であり、図１０（ｂ）は、図１０（ａ）に示すＸ−Ｘ線断面図に対応する一部分解説明図である。
【図１１】図１１は、本発明による照明装置の他の実施の形態を示す概略構成斜視説明図である。
【図１２】図１２は、本発明による照明装置の他の実施の形態を示す概略構成斜視説明図である。
【符号の説明】
【００９８】
１０，４０  照明装置
１２−１，１２−２，１２−３，４２−１，４２−２，４２−３，５０，６０  筐体
１４Ｎ，１４Ｓ，１６Ｎ，１６Ｓ，４８Ｎ，４８Ｓ  磁石
３０，５２  発光ダイオード
【図１】
2006164827.tif 000003
【図２】
2006164827.tif 000004
【図３】
2006164827.tif 000005
【図４】
2006164827.tif 000006
【図５】
2006164827.tif 000007
【図６】
2006164827.tif 000008
【図７】
2006164827.tif 000009
【図８】
2006164827.tif 000010
【図９】
2006164827.tif 000011
【図１０】
2006164827.tif 000012
【図１１】
2006164827.tif 000013
【図１２】
2006164827.tif 000014